(57)【特許請求の範囲】
【請求項１】
四角状生地１の上部に折曲条部２を介して上部折曲片部３を一体的に連設すると共に四角状生地１の両端条部４，４と下端条部５とに亘り連続した食み出し片部６を設けた柔軟で肌さわりが良く強靭な合成樹脂製の不織布素材基板７を形成し、且つ３枚の不織布素材基板７，７，７を重接すると共に食み出し片部６，６，６の全面をヒートシールにより接着して中間に位置した不織布素材基板７の表裏夫々の上部に表開口部８を備えた表収納部９と裏開口部１０を備えた裏収納部１１を設け、更に表収納部９を形成した２枚の不織布素材基板７，７の数箇所にヒートシールにより接着部１２，１２・・・を設け、又更に３枚の上部折曲片部３，３，３を折曲条部２，２，２を介して裏収納部１１内に折り込むことができるようにしたことを特徴とする扁平状カイロ収納袋。
【発明の詳細な説明】
【０００１】
【産業上の利用分野】
この発明は、一般に市販されている使いすてカイロ体を用いて暖をとるに好適な扁平状カイロ収納袋に関するものである。
【０００２】
【従来の技術】
従来より図１５に図示した使いすてカイロ体１３の外袋１４を破って発熱体を収納した内袋１５を取り出し、これを身体に宛てて暖をとることは古くから知られている。
【０００３】
【発明が解決しようとする問題点】
ところで、従来の図１５に図示した使いすてカイロ体１３の外袋１４を破って発熱体を収納した内袋１５を取り出し、これを身体に当てて暖をとることはやけどのおそれがあり、長時間身体に当てていると紅斑、水疱等の症状をおこして使用上好ましくない等の欠点があつた。
【０００４】
この発明は上記の問題点を解決したものであり、長時間使用するもやけどのおそれがなく、更に紅斑、水疱等の症状をおこすこともなく、心地好い暖をとることができると共に足腰の冷えなどを阻止し、又更に腹痛・神経痛などの予防にも好適で、しかも能率よく行うことができて使用上使い易い扁平状カイロ収納袋を得ることを目的とするものである。
【０００５】
【問題点を解決するための手段】
上記の目的を達成するためのこの発明は、四角状生地１の上部に折曲条部２を介して上部折曲片部３を一体的に連設すると共に四角状生地１の両端条部４，４と下端条部５とに亘り連続した食み出し片部６を設けた柔軟で肌さわりが良く強靭な合成樹脂製の不織布素材基板７を形成し、且つ３枚の不織布素材基板７，７，７を重接すると共に食み出し片部６，６，６の全面をヒートシールにより接着して中間に位置した不織布素材基板７の表裏夫々の上部に表開口部８を備えた表収納部９と裏開口部１０を備えた裏収納部１１を設け、更に表収納部９を形成した２枚の不織布素材基板７，７の数箇所にヒートシールにより接着部１２，１２・・・を設け、又更に３枚の上部折曲片部３，３，３を折曲条部２，２，２を介して裏収納部１１内に折り込むことができるようにしたものである。
【０００６】
【実施例】
以下図面についてこの発明の実施例を説明すると、
四角状生地１の上部に折曲条部２を介して上部折曲片部３を一体的に連設すると共に四角状生地１の両端条部４，４と下端条部５とに亘り連続した食み出し片部６を設けた合成樹脂製の不織布素材基板７を広幅の合成樹脂製の不織布生地を裁断機（図示せず）を用いて裁断し形成するもので、柔軟で肌さわりが良く強靭な合成樹脂製の不織布素材基板７の多数枚を簡便に得ることが出来るものである（図１参照）。
【０００７】
又３枚の不織布素材基基板７，７，７を重接すると共に食み出し片部６，６，６の全面をヒートシールにより接着して中間に位置した不織布素材基基板７の表裏夫々の上部に表開口部８を備えた表収納部９と裏開口部１０を備えた裏収納部１１を設けたものである（図２，図４，図５，図６，図７，図８参照）。
【０００８】
又表収納部９を形成した２枚の不織布素材基板７，７の数箇所にヒートシールにより接着部１２，１２・・・（図示したものでは５箇所）を設けたものである（図２，図４，図６参照）。
【０００９】
又３枚の上部折曲片部３，３，３を折曲条部２，２，２を介して裏収納部１１内に折り込むことができるようにしたものである（図１，図２，図３，図４，図５，図８参照）。
【００１０】
又使用に際しては一般に市販されている塩１７を表開口部８より表収納部９内に収納するものであるが、表収納部９には数箇所に接着部１２，１２・・・を設けているので塩１７を表収納部９に入れても表収納部９が大きく膨らむことがなく扁平状に保持されて塩１７が表収納部９の全面に亘り収納されて片寄って収納されることがない（図９，図１１，図１２，図１３，図１４参照）。
【００１１】
又表収納部９内に塩１７を収納した後は上部折曲片部３，３の２枚を重ねて裏収納部１１内に折り込むもので、表収納部９に入れた塩１７が表収納部９内から脱落することが無いようにしたものである（図１１，図１２参照）。
【００１２】
又一般に市販されている使いすてカイロ体１３の外袋１４を破って発熱体１６を収納した内袋１５を取り出し、この内袋１５を裏開口部１０より裏収納部１１内に挿入し、上部折曲片部３を内袋１５の上部を跨いで裏収納部１１内に折り込むもので、裏収納部１１に挿入した内袋１５が裏収納部１１内から脱落することが無いようにしたものである（図１１，図１２参照）。
【００１３】
そこで身体１９に当てて暖をとることができる扁平状カイロ体１８が形成されるものである（図９，図１０，図１１，図１２，図１３，図１４参照）。
【００１４】
又身体１９に当てて暖をとることができる扁平状カイロ体１８は被服２０の内側に位置し塩１７を入れた表収納部９の表面を身体１９に当てて使用するものである（図１６，図１７参照）。
【００１５】
又図示した実施例では表収納部９内に塩１７を入れたものであるが、塩、鉱石、炭、よもぎ、笹の葉等をブレンドしたものを入れることも可能で、身体１９の内部までやわらかな温灸効果が期待できる。
【００１６】
又炭の持つ遠赤外線効果で温灸効果が助長できるものである。
【００１７】
【発明の作用効果】
この発明は上述のような構成であり、一般に市販されている塩１７を表開口部８より表収納部９内に収納し、表収納部９内に塩１７又は塩、鉱石、炭、よもぎ、笹の葉等をブレンドしたものを収納した後は上部折曲片部３，３の２枚を重ねて裏収納部１１内に折り込み、更に一般に市販されている使いすてカイロ体１３の外袋１４を破って発熱体１６を収納した内袋１５を取り出し、この内袋１５を裏開口部１０より裏収納部１１内に挿入し、上部折曲片部３を内袋１５の上部を跨いで裏収納部１１内に折り込み、塩１７又は塩、鉱石、炭、よもぎ、笹の葉等をブレンドしたものを入れた表収納部９の表面を身体１９に当てて暖をとることができる扁平状カイロ体１８が形成されるものである。
【００１８】
よって、塩１７又は塩、鉱石、炭、よもぎ、笹の葉等をブレンドしたものの層によって発熱体１６からの熱が緩衝されて長時間使用するもやけどのおそれがなく、更に紅斑、水疱等の症状をおこすこともなく、心地好い暖をとることができると共に足腰の冷えなどを阻止し、又更に腹痛・神経痛などの予防にも好適で、しかも能率よく行うことができるものである。
【００１９】
又塩１７又は塩、鉱石、炭、よもぎ、笹の葉等をブレンドしたものを入れる表収納部９と使いすてカイロ体１３の発熱体１６を収納した内袋１５を挿入する裏収納部１１は、四角状生地１の上部に折曲条部２を介して上部折曲片部３を一体的に連設すると共に四角状生地１の両端条部４，４と下端条部５とに亘り連続した食み出し片部６を設けた柔軟で肌さわりが良く強靭な合成樹脂製の不織布素材基板７を形成し、更に３枚の不織布素材基板７，７，７を重接すると共に食み出し片部６，６，６の全面をヒートシールにより接着して中間に位置した不織布素材板７の表裏夫々の上部に表開口部８を備えた表収納部９と裏開口部１０を備えた裏収納部１１を設けたものであるので塩１７又は塩、鉱石、炭、よもぎ、笹の葉等をブレンドしたものを入れる表収納部９と、使いすてカイロ体１３の発熱体１６を収納した内袋１５を挿入する裏収納部１１とが簡単確実に成形できるもので大量生産ができ、安価に提供することができるものである。
【００２０】
又３枚の上部折曲片部３，３，３を折曲条部２，２，２を介して裏収納部１１内に折り込むことができるようにしたものであるが、表収納部９内に塩１７又は塩、鉱石、炭、よもぎ、笹の葉等をブレンドしたものを収納した後は上部折曲片部３，３の２枚を重ね、この重ねた状態で裏収納部１１内に折り込むことで表開口部８が極めて簡単な操作で閉じられて表収納部９に入れた塩１７又は塩、鉱石、炭、よもぎ、笹の葉等をブレンドしたものが表収納部９内から脱落することが阻止されるものである。
【００２１】
又暖をとるための使用に際しては前記したように一般に市販されている塩１７又は塩、鉱石、炭、よもぎ、笹の葉等をブレンドしたものを表開口部８より表収納部９内に収納するものであるが、表収納部９には数箇所にヒートシールにより接着部１２，１２・・・を設けているので塩１７又は塩、鉱石、炭、よもぎ、笹の葉等をブレンドしたものを表収納部９に入れても表収納部９が大きく膨らむことがなく扁平状に保持されて塩１７又は塩、鉱石、炭、よもぎ、笹の葉等をブレンドしたものが表収納部９の全面に亘り収納されて片寄って収納されることがなく、使用上極めて好適である。
【００２２】
又一般に市販されている使いすてカイロ体１３の外袋１４を破って発熱体１６を収納した内袋１５を取り出し、この内袋１５を裏開口部１０より裏収納部１１内に挿入し、上部折曲片部３を内袋１５の上部を跨いで裏収納部１１内に折り込むもので、裏収納部１１に挿入した内袋１５が裏収納部１１内からの脱落を極めて簡単な操作で阻止することができるのである。
【００２３】
以上のようにこの発明は一般に市販されている使いすてカイロ体１３の発熱体１６を収納した扁平状の内袋１５と扁平状に保持された塩１７又は塩、鉱石、炭、よもぎ、笹の葉等をブレンドしたものとによって幅広く好適に暖をとることができ、更に発熱体１６を収納した内袋１５と塩１７又は塩、鉱石、炭、よもぎ、笹の葉等をブレンドしたものとを脱落することなく保持することかできる表収納部９と裏収納部１１とを成形した合成樹脂製の不織布素材基板７，７，７が柔軟で肌さわりが良く強靭であって使い心地がよく長期の使用に耐え、更に成形が容易である等の幾多の産業的作用効果を奏するものである。
【図面の簡単な説明】
【図１】不織布素材板の平面図である。
【図２】この発明の表面図である。
【図３】この発明の裏面図である。
【図４】図２に於けるＡ−Ａ断面図である。
【図５】図２に於けるＢ−Ｂ断面図である。
【図６】図２に於けるＣ−Ｃ断面図である。
【図７】図２に於けるＤ−Ｄ断面図である。
【図８】この発明の一部切欠斜視図である。
【図９】扁平状カイロ体の表面図である。
【図１０】扁平状カイロ体の裏面図である。
【図１１】図９に於けるＡ−Ａ断面図である。
【図１２】図９に於けるＢ−Ｂ断面図である。
【図１３】図９に於けるＣ−Ｃ断面図である。
【図１４】図９に於けるＤ−Ｄ断面図である。
【図１５】使いすてカイロ体の一部切欠斜視図である。
【図１６】使用状態の説明平面図である。
【図１７】使用状態の説明拡大断面図である。
【符号の名称】
１  四角状生地
２  折曲条部
３  上部折曲片部
４  両端条部
５  下端条部
６  食み出し片部
７  不織布素材基板
８  表開口部
９  表収納部
１０  裏開口部
１１  裏収納部
１２  接着部
１３  使いすてカイロ体
１４  外袋
１５  内袋
１６  発熱体
１７  塩
１８  扁平状カイロ体
１９  身体
２０  被服
【図１】
0003694579.tif 000002
【図２】
0003694579.tif 000003
【図３】
0003694579.tif 000004
【図４】
0003694579.tif 000005
【図５】
0003694579.tif 000006
【図６】
0003694579.tif 000007
【図７】
0003694579.tif 000008
【図８】
0003694579.tif 000009
【図９】
0003694579.tif 000010
【図１０】
0003694579.tif 000011
【図１１】
0003694579.tif 000012
【図１２】
0003694579.tif 000013
【図１３】
0003694579.tif 000014
【図１４】
0003694579.tif 000015
【図１５】
0003694579.tif 000016
【図１６】
0003694579.tif 000017
【図１７】
0003694579.tif 000018